(57)【要約】【課題】手洗い洗濯時に、被洗浄物間のスベリ性が改善されることによって、軽い力で洗濯出来る事や、洗濯物を擦る速度( 時間当たりの擦り回数) が増加し易いなどのことで手洗いし易くし、更には手洗い洗濯後の乾燥後の皮膚が柔らかく、滑らかになったと感じられるハンドケア効果や洗濯機洗濯における、攪拌などの機械力によって生じる型くずれを回避するといった衣類ケア効果をもなしうる洗濯用スベリ性改善剤、手洗い洗濯用スベリ性改善剤、これらのスベリ性改善剤を含有する洗剤組成物、並びに手洗い洗濯時において被洗浄物どうしを擦り合わせるときのスベリ性を改善した手洗い洗濯方法を提供すること。【解決手段】メタリン酸カリウムを含有してなる洗濯用スベリ性改善剤、該洗濯用スベリ性改善剤と、可溶化剤とを含有する洗剤組成物、並びにメタリン酸カリウムの水中濃度３０ｍｇ／Ｌ以上、浴比２以上の条件下で手洗い洗濯を行う方法。【選択図】なし【特許請求の範囲】
【請求項１】
メタリン酸カリウムを含有してなる洗濯用スベリ性改善剤。
【請求項２】
メタリン酸カリウムのＫ／Ｐモル比が１未満である請求項１記載の洗濯用スベリ性改善剤。
【請求項３】
手洗い洗濯用である請求項１又は２記載の洗濯用スベリ性改善剤。
【請求項４】
請求項１又は３記載の洗濯用スベリ性改善剤と、可溶化剤とを含有する洗剤組成物。
【請求項５】
可溶化剤の量がメタリン酸カリウム中のカリウムイオンに対して少なくとも０．５倍当量の置換イオン源を含有してなる請求項４記載の洗剤組成物。
【請求項６】
さらに界面活性剤及び／又はビルダーを含有する請求項４又は５記載の洗剤組成物。
【請求項７】
ビルダーとして、カルシウムイオン捕捉能１００ｍｇＣａＣＯ3 ／ｇ以上の金属イオン封鎖剤を５重量％以上含有する請求項６記載の洗剤組成物。
【請求項８】
金属イオン封鎖剤が水溶性有機物質である請求項７記載の洗剤組成物。
【請求項９】
さらにケイ酸塩を含有する請求項４〜８いずれか記載の洗剤組成物。
【請求項１０】
ケイ酸塩がケイ酸ナトリウムである請求項９記載の洗剤組成物。
【請求項１１】
さらにリン酸塩を含有する請求項４〜１０いずれか記載の洗剤組成物。
【請求項１２】
リン酸塩がトリポリリン酸ナトリウムである請求項１１記載の洗剤組成物。
【請求項１３】
メタリン酸カリウムの水中濃度３０ｍｇ／Ｌ以上、浴比２以上の条件下で手洗い洗濯を行う方法。
【発明の詳細な説明】
【技術分野】
【０００１】
本発明は、布傷みを回避する洗濯用スベリ性改善剤に関する。詳しくは、手洗い洗濯時において被洗浄物間のスベリ性を改善することで軽い力で洗濯できることや洗濯物を擦る速度( 時間当たりの擦り回数) が増加し易いなどの手洗い性を向上させるとともに、被洗浄物間の摩擦による被洗浄物の傷みや被洗浄物と手が擦れ合うことにより生じる手の切り傷・擦り傷等を抑制する為の全く新しい発想に基づく洗濯時の添加剤に関する。又、前記スベリ性改善剤を含有した洗剤組成物及びメタリン酸カリウムの存在下での手洗い洗濯方法に関する。また洗濯機洗濯においては、攪拌などの機械力によって生じる型くずれなどの原因となる繊維の傷みに対して、繊維間のスベリ性を高めることで布傷みを回避する方法に関する。
【背景技術】
【０００２】
洗濯方法としては、大きく分けて手洗い洗濯と洗濯機洗濯の２種類がある。近年では洗濯機の普及により洗濯機洗濯が増加する傾向にあるが、汚れ落ちや経済性の観点から、依然、手洗い洗濯に対するニーズも多い。
【０００３】
そこで、従来より、手洗い洗濯時に好ましい物性を有する洗剤の開発が行なわれてきた。例えば、特許文献１に挙げられるように、アニオン界面活性剤、カチオン界面活性剤、非イオン界面活性剤を特定の比で配合することで手洗い洗濯時の皮膚への刺激性を改善する方法が開示されている。また、泡コントロールに関しては、一般的に増泡にはＬＡＳやＡＳ等の高起泡性の界面活性剤、制泡にはポリオキシエチレンアルキルエーテル等の非イオン界面活性剤、濯ぎ時の泡切れ性向上には石鹸等を用いることが知られている。具体的には、特許文献２に挙げられているアニオン界面活性剤、特定のノニオン界面活性剤、及び脂肪酸石鹸を特定比で含有することで溶解性、起泡性及び濯ぎ性に優れた洗剤組成物が開示されている。
【０００４】
しかしながら、これまで、手洗いのし易さ（被洗浄物を擦るときのスベリ性) を向上させる技術に着目した検討はされたことがなかった。
【０００５】
【特許文献１】特表平１０−５０４０５６号公報
【特許文献２】特公平８−１３９８７号公報
【発明の開示】
【発明が解決しようとする課題】
【０００６】
従って、本発明の目的は、手洗い洗濯時に、被洗浄物間のスベリ性が改善されることによって、軽い力で洗濯出来る事や、洗濯物を擦る速度( 時間当たりの擦り回数) が増加し易いなどのことで手洗いし易くし、更には手洗い洗濯後の乾燥後の皮膚が柔らかく、滑らかになったと感じられるハンドケア効果や洗濯機洗濯における、攪拌などの機械力によって生じる型くずれを回避するといった衣類ケア効果をもなしうる洗濯用スベリ性改善剤、手洗い洗濯用スベリ性改善剤、これらのスベリ性改善剤を含有する洗剤組成物、並びに手洗い洗濯時において被洗浄物どうしを擦り合わせるときのスベリ性を改善した手洗い洗濯方法を提供することにある。
【課題を解決するための手段】
【０００７】
本発明者らは、手洗い洗濯を手軽に行うというニーズに対して、洗濯時において被洗浄物どうしを擦り合わせるときのスベリ性という、全く新しい物性に着目して鋭意研究を重ねた結果、メタリン酸カリウムを含有してなる洗濯用スベリ性改善剤を手洗い洗濯時に洗剤組成物とは別途添加するか、あるいは上記洗濯用スベリ性改善剤を含有してなる洗剤組成物を用いることで上記課題を解決し、本発明を完成するに到った。
【０００８】
即ち、本発明の要旨は、
〔１〕メタリン酸カリウムを含有してなる洗濯用スベリ性改善剤、
〔２〕メタリン酸カリウムのＫ／Ｐモル比が１未満である前記〔１〕記載の手洗い洗濯用スベリ性改善剤、
〔３〕手洗い洗濯用である前記〔１〕又は〔２〕記載の手洗い洗濯用スベリ性改善剤、
〔４〕前記〔１〕又〔３〕記載の洗濯用スベリ性改善剤と、可溶化剤とを含有する洗剤組成物、
〔５〕可溶化剤の量がメタリン酸カリウム中のカリウムイオンに対して少なくとも１倍当量の置換イオン源を含有してなる前記〔４〕記載の洗剤組成物、
〔６〕さらに界面活性剤及び／又はビルダーを含有する前記〔４〕又は〔５〕記載の洗剤組成物、
〔７〕ビルダーとして、カルシウムイオン捕捉能１００ｍｇＣａＣＯ3 ／ｇ以上の金属イオン封鎖剤を５重量％以上含有する前記〔６〕記載の洗剤組成物、
〔８〕金属イオン封鎖剤が水溶性有機物質である前記〔７〕記載の洗剤組成物、
〔９〕さらにケイ酸塩を含有する前記〔４〕〜〔８〕いずれか記載の洗剤組成物、
〔１０〕ケイ酸塩がケイ酸ナトリウムである前記〔９〕記載の洗剤組成物、
〔１１〕さらにリン酸塩を含有する前記〔４〕〜〔１０〕いずれか記載の洗剤組成物、
〔１２〕リン酸塩がトリポリリン酸ナトリウムである前記〔１１〕記載の洗剤組成物、並びに
〔１３〕メタリン酸カリウムの水中濃度３０ｍｇ／Ｌ以上、浴比２以上の条件下で手洗い洗濯を行う方法
に関する。
【発明の効果】
【０００９】
本発明の洗濯用スベリ性改善剤を用いることで、手洗い洗濯時、被洗浄物間のスベリ性を改善して、軽い力で洗濯できることや洗濯物を擦る速度( 時間当たりの擦り回数) が増加するなどのことで手洗いし易くし、さらに手洗いにおける感触を高め、更にハンドケア、衣類ケアをもなしうるという効果が奏される。
【発明を実施するための最良の形態】
【００１０】
＜洗濯用スベリ性改善剤＞
洗濯用スベリ性改善剤は、スベリ性改善剤含有洗剤として洗剤と混合して用いたり、洗濯時に直接、洗剤とは別に添加して用いることもできる。
本発明の洗濯用スベリ性改善剤は、メタリン酸カリウムを含有してなるものであり、具体的には、メタリン酸カリウム単体及びメタリン酸カリウムと他の基剤との混合物を指す。
【００１１】
メタリン酸カリウムは、後述する。また、他の基剤とは、メタリン酸カリウムの働きを阻害することなく洗剤組成物として一般的に用いられるものなら何を用いても良く、例えば、芒硝、ゼオライト、ポリエチレングリコール又はアルキル硫酸塩等を適宜用いることができる。
【００１２】
メタリン酸カリウムの量としては、洗濯用スベリ性改善剤中、３０〜１００重量％が好ましく、５０〜１００重量％がより好ましい。
【００１３】
かかる構成を有する洗濯用スベリ性改善剤は、メタリン酸カリウム単体である場合、メタリン酸カリウムをそのまま使用してもよく、粉砕処理して微粉状にしてもよい。
また、メタリン酸カリウムと他の基剤との混合物である場合、これらの成分を公知の方法で混合することで製造することができる。
【００１４】
本発明の洗濯用スベリ性改善剤は、手洗い洗濯時、被洗浄物間のスベリ性を改善して、手洗いし易くし、さらに手洗いにおける感触を高め、更にハンドケア、衣類ケアをもなしうるという作用を有するものである。したがって、本発明は、手洗い洗濯用スベリ性改善剤にも関する。
【００１５】
洗濯用スベリ性改善剤（以下、「スベリ性改善剤」と略す）の形態は、特に限定されず、粉末、顆粒、液体、又はスラリー／ペースト状のいかなる剤形でも良いが、スベリ性を衣類に速やかにまんべんなく発現させるために、粉末若しくは顆粒の形態で用いることが好ましい。
【００１６】
本発明のスベリ性改善剤は、使用時の簡便性、溶解性の観点から、洗剤組成物中に含有されることが好ましい。なお、前記スベリ性改善剤は、使用する洗剤組成物の組成・形態・製造法等によって限定されず、後述の可溶化剤を含有する全ての洗剤組成物においてその効果を発現できる。
【００１７】
＜洗剤組成物＞
本発明の洗剤組成物は、前記スベリ性改善剤及び可溶化剤を含有する点に一つの大きな特徴がある。かかる特徴を有するために、洗濯時に洗剤組成物が溶解した洗濯液がローション状の粘稠溶液となり、手洗い洗濯時でも、被洗浄物間のスベリ性が改善されることによって、軽い力で洗濯できるなどの手洗い性を改善し、更には手洗い洗濯後の乾燥後の皮膚が柔らかく、滑らかになったと感じられるハンドケア効果や衣類ケア効果が発現される。
【００１８】
洗剤組成物は、粉末、顆粒、液体、又はペースト状等のいかなる剤型でもよく、又二次加工により凝集体、錠剤等に成形されていてもよいが、スベリ性を衣類に速やかにまんべんなく発現させるために、粉末若しくは顆粒の形態であることが好ましい。
【００１９】
なお、本発明において洗濯液とは、前記洗剤組成物が溶解・懸濁された、等の洗濯を行うための液をいう。
【００２０】
以下に本発明に用いられる各成分について説明する。
１．メタリン酸カリウム
本発明に用いられるメタリン酸カリウムとは、水への溶解度が非常に低いが、洗濯液中では可溶化剤（ナトリウムイオン源、リチウムイオン源、アンモニウムイオン源を含有する化合物) との塩交換により水溶性を呈する物質である。なかでも（ＫＰＯ3 ）ｎで表される高分子量のメタリン酸カリウム（分子量＝約１万〜数千万) が手洗い洗濯時の被洗浄物間のスベリ性を改善し、手洗い洗濯性を向上させるのに好適である。ここでメタリン酸カリウムとは、カリウムが一部ナトリウムやリチウム等に置換されているものも含む。
【００２１】
メタリン酸カリウムは一般的に以下に示すような製法で、製造される。
ｎＫＨ2 ＰＯ4     →  （ＫＰＯ3 ）ｎ  ＋  ｎＨ2 Ｏ
即ち、リン酸二水素カリウム（ＫＨ2 ＰＯ4 ) を加熱して分子間脱水を行うことにより、メタリン酸カリウムが生成するが、加熱温度と時間の差等の因子により各種重合度の製品が得られ、脱水反応を高温で行うほど重合度は大きくなる。
【００２２】
脱水反応を行う際の焼成温度としては、浸漬後すべり性の観点から、４００℃以上が好ましく、５００℃以上がより好ましく、６００℃以上が更に好ましく、また、エネルギー消費の観点から、１５００℃以下が好ましく、１３００℃以下がより好ましく、１２００℃以下が更に好ましい。
【００２３】
メタリン酸カリウムの分子量としては、手洗い性改善の観点から、１万以上が好ましく、１０万以上がより好ましく、２０万以上が更に好ましく、５０万以上が特に好ましい。入手のし易さから、５千万以下が好ましく、２千万以下がより好ましい。また、メタリン酸カリウムは、可溶化剤の存在下で水溶性を呈すれば、その分子量には特に上限は無く、高分子量のものほど手洗い性改善効果は高い。なお、加熱時にリン酸二水素カリウム以外に一部リン酸二水素ナトリウム等が含まれていた場合も、分子間脱水（縮合）したものであればスベリ性改善剤としての効果を発現できる。
【００２４】
また、メタリン酸カリウムは、浸漬後すべり性の観点から、そのＫ／Ｐモル比が１未満であることが好ましく、より好ましくは（１を除く）〜０．８、更に好ましくは０．９９９〜０．９、更に好ましくは０．９９９〜０．９４、更に好ましくは０．９９５〜０．９６、更に好ましくは０．９９〜０．９８である。なお、本発明でいうＫ／Ｐモル比とは、後述の実施例に記載の測定方法により測定される値をいう。
【００２５】
メタリン酸カリウムの洗剤組成物に対する添加量としては、手洗い性向上の観点から、洗剤組成物１００重量部に対して０．５重量部以上が好ましく、１重量部以上がより好ましく、３重量部以上が更に好ましく、５重量部以上が更に好ましく、７重量部以上が更に好ましく、１０重量部以上が特に好ましい。また、洗浄後の被洗浄物の取り扱い性を維持する観点から、３０重量部以下が好ましく、２０重量部以下がより好ましい。
【００２６】
また、良好な手洗い性を得るという観点から、洗剤組成物を溶解して洗濯液を調製した場合のメタリン酸カリウム水中濃度が１５ｍｇ／L 以上が好ましく、３０ｍｇ／L 以上がより好ましく、６０ｍｇ／L 以上が特に好ましい。また、洗浄後の被洗浄物の取り扱い性の観点から３０００ｍｇ／L 以下が好ましく、１５００ｍｇ／L 以下がより好ましく、１０００ｍｇ／L 以下が特に好ましい。更には、浴比（水と衣類の重量の比率：水重量／衣類重量) の低下、洗濯液硬度の増加、洗剤組成物中の非イオン界面活性剤の量及び全界面活性剤成分に対する比率の上昇に応じて、前記メタリン酸カリウム水中濃度を増加させることが好ましい。
【００２７】
２．可溶化剤
メタリン酸カリウムは、水に極めて難溶性であるが、可溶化剤の存在下で水溶性を呈する。ここでいう可溶化剤とは、メタリン酸カリウム中のカリウムを置換できるナトリウムイオン源及び／またはリチウムイオン源及び／又はアンモニウムイオン源を含有する化合物のことを言う。よって、洗剤組成物中において、メタリン酸カリウムを含有してなる前記スベリ性改善剤と可溶化剤とを併用することで、洗剤組成物を水に溶解させた際でもメタリン酸カリウムが溶解し、洗濯水がローション状が粘稠溶液となり、その結果、被洗浄物間のスベリ性が向上し、手洗い性が向上するという利点がある。
【００２８】
前記可溶化剤としては、メタリン酸カリウム中のカリウムを置換するすべてのナトリウム源及び／又はリチウムイオン源及び／又はアンモニウムイオン源を包含する。特に有用なのはナトリウム及びリチウム及びアンモニウムの無機塩及び有機塩、例えば炭酸ナトリウム、塩化ナトリウム、硫酸ナトリウム、亜硫酸ナトリウム、クエン酸ナトリウムなどのカルボン酸ナトリウム、リン酸ナトリウム、ケイ酸ナトリウム、ポリカルボン酸ポリマーナトリウム塩、ポリスルホン酸ポリマーナトリウム塩、ハロゲン化リチウム及び硫酸リチウムである。中でも、ナトリウムの無機塩又は有機塩が最も好ましい。また、界面活性剤または脂肪酸の塩形態、金属イオン封鎖剤等も可溶化剤となりうる。
【００２９】
前記メタリン酸カリウムは、メタリン酸カリウム中のカリウムイオンがナトリウムイオン及び／又はリチウムイオン及び／又はアンモニウムイオンに置換されることにより水溶性を呈するため、良好な手洗い洗濯性を得るにはメタリン酸カリウムが溶解できる状態で用いることが求められる。メタリン酸カリウム中のカリウムの一部を置換できれば効果を発現できるが経済性の観点からは、洗濯液中に含まれるメタリン酸カリウム中のカリウムイオンを完全に置換できる量のナトリウムイオン及び／又はリチウムイオン及び／又はアンモニウムイオンを供給できる可溶化剤の量が好ましい。かかる可溶化剤の量としては、メタリン酸カリウム中のカリウムイオンと同量のナトリウムイオン及び／又はリチウムイオン及び／又はアンモニウムイオンを供給できる量を１倍当量とすると０．５倍当量以上が好ましく、１倍当量以上がより好ましく、その２倍当量以上が更に好ましく、３倍当量以上が特に好ましい。一方、カリウムイオンに対して、過剰のナトリウムイオン及び／又はリチウムイオン及び／又はアンモニウムイオンの存在下では、手洗い洗濯性の改善効果が小さい。この点から、可溶化剤の量は、４００倍当量以下が好ましく、２００倍当量以下より好ましく、１００倍当量以下が特に好ましい。また、よりスベリ性改善効果を維持する観点から、前記の量は、３０倍当量以下が好ましく、２０倍当量以下がより好ましい。
【００３０】
なお、洗剤組成物中に別の目的で必要量のナトリウムイオン及び／又はリチウムイオン及び／又はアンモニウムイオンが配合されている場合は、可溶化剤を別途配合する必要はない。
【００３１】
３．界面活性剤及び／又はビルダー
本発明の洗剤組成物には、界面活性剤及び／ビルダーを含有することができる。
【００３２】
界面活性剤としては、一般的に使用されているものを用いることができる。例えば、陰イオン界面活性剤、非イオン界面活性剤が挙げられる。その例としては、アルキルベンゼンスルホン酸塩、アルキルエーテル又はアルケニルエーテル硫酸塩、アルキル又はアルケニル硫酸エステル塩、α−オレフィンスルホン酸塩、アルカンスルホン酸塩、Ｎ−アシルアミノ酸型界面活性剤、アルキル又はアルケニルエーテルカルボン酸塩、アミノ酸型界面活性剤、アルキル又はアルケニルリン酸エステルまたはその塩等の陰イオン界面活性剤、ポリオキシアルキレンアルキル（又はアルケニル）エーテル、ポリオキシエチレンアルキルフェニルエーテル、高級脂肪酸アルカノールアミド又はそのアルキレンオキシド付加物、ショ糖脂肪酸エステル、アルキルグリコシド、脂肪酸グリセリンモノエステル等の非イオン界面活性剤が挙げられる。
中でも、スベリ性効果を高める観点からは、アルキルベンゼンスルホン酸塩、アルキルエーテル硫酸塩、アルキル硫酸エステル塩が好ましく、特にアルキルベンゼンスルホン酸ナトリウムが好ましい。
【００３３】
前記陰イオン界面活性剤及び非イオン界面活性剤の含有量は、洗剤組成物中において洗浄性能の観点から、５重量％以上が好ましく、１０重量％以上がより好ましく、１２重量％以上が更に好ましく、１５重量％以上が更に好ましく、１７重量％以上が特に好ましい。また、粉末物性の観点から、４０重量％以下が好ましく、３５重量％以下がより好ましく、３０重量％以下が更に好ましく、２６重量％以下が特に好ましい。
【００３４】
本発明の洗剤組成物には、さらにベタイン型両性界面活性剤、リン酸エステル系界面活性剤、石鹸、陽イオン界面活性剤等の界面活性剤も適宜配合することができる。
【００３５】
ビルダーとしては、金属イオン封鎖剤、アルカリ剤、再汚染防止剤等が挙げられる。
中でも、洗濯水中の硬度成分量の上昇に伴い、スベリ性改善効果が低下する特徴があるため、ビルダーとして、金属イオン封鎖剤を洗剤組成物に配合し、洗濯水中の硬度成分を捕捉することは、メタリン酸カリウムの性能発現に非常に効果的である。特にカルシウムイオン捕捉能１００ｍｇＣａＣＯ3 ／ｇ以上である金属イオン封鎖剤がより効果的である。かかる金属イオン封鎖剤としては、ゼオライト、結晶性ケイ酸塩などのイオン交換体、ポリアクリル酸塩、アクリル酸−マレイン酸共重合体（塩）等のポリマー、トリポリリン酸ナトリウム塩、エチレンジアミン四酢酸塩、メチルグリシン二酢酸塩、クエン酸塩等のキレート剤等の水溶性有機物質が挙げられる。
炭酸ナトリウムと非晶質ケイ酸ナトリウムは金属イオン封鎖剤に含まない。
【００３６】
アルカリ剤としては、炭酸塩やケイ酸塩が挙げられる。スベリ性効果を高める観点からは、非晶質ケイ酸ナトリウムが好ましい。
再汚染防止剤には、カルボキシメチルセルロース、ポリエチレングリコール等が挙げられる。
【００３７】
ビルダーの配合量としては、手洗い性向上の観点から、洗剤組成物中、５重量％以上が好ましく、１０重量％以上がより好ましく、１５重量％以上が更に好ましく、２０重量％以上が特に好ましく、また、配合のバランスの観点から、６０重量％以下が好ましく、４０重量％以下がより好ましく、３０重量％以下が特に好ましい。
【００３８】
４．ケイ酸塩、リン酸塩（メタリン酸カリウムを除く）
本発明の洗剤組成物には、ケイ酸塩、リン酸塩を配合することでスベリ性改善効果がさらに向上できる利点がある。
ケイ酸塩としては、非晶質、結晶性のものが知られており、いずれのものも用いることができる。ここでＳｉＯ2 ／Ｍ2 Ｏ比( Ｍはアルカリ金属) として1 以上、好ましくは１．５以上、より好ましくは２以上、また、４以下が好ましく、３以下がより好ましい。ここで特に好ましくは非晶質ケイ酸ナトリウムであり、JIS １号ケイ酸ナトリウムやJIS ２号ケイ酸ナトリウムを好適に用いることができる。その配合量としては、手洗い洗濯性の観点から、洗剤組成物中、３重量％以上が好ましく、５重量％以上がより好ましく、７重量％以上が更に好ましい。また、スベリ性改善効果を高く維持しながら、洗濯時の溶け残りを抑制する観点から、前記配合量は、３０重量％以下が好ましく、２０重量％以下が特に好ましい。
【００３９】
リン酸塩としては、トリポリリン酸ナトリウム、ピロリン酸ナトリウム、リン酸一ナトリウム、リン酸二ナトリウム、リン酸三ナトリウム等が挙げられるがトリポリリン酸ナトリウムが好ましく、その配合量としては、手洗い性の観点から、洗剤組成物中、５重量％以上が好ましく、１０重量％以上がより好ましく、１５重量％以上が特に好ましい。また、スベリ性改善効果と洗浄力を両立する観点から、４０重量％以下が好ましく、３０重量％以下が特に好ましい。
【００４０】
本発明においては、前記成分の中でも、金属イオン封鎖剤、ケイ酸塩、リン酸塩を上記の量で配合することで、メタリン酸カリウムの配合量を低減させても手洗い洗濯性が良好に保たれるメリットがある。
【００４１】
５．その他添加剤
本発明の洗剤組成物には、酵素、香料、蛍光染料、色素等も適宜配合することができる。
【００４２】
６．洗剤組成物の製造方法
前記のような構成を有する本発明の洗剤組成物は、前記各成分を公知の方法で適宜混合することにより製造することができる。
なお、本発明の洗剤組成物中に含有されるメタリン酸カリウムは、前記のように、水中において、可溶化剤の存在下で水溶性を呈するようになるため、製造プロセス、又は保存時における水分を低減させることが好ましい。例えば、噴霧乾燥法にて洗剤組成物を製造する場合には、噴霧乾燥工程後の造粒工程、表面改質工程及びアフターブレンド工程等でスベリ性改善剤を添加することが望ましい。
【００４３】
また、手洗い洗濯時にスベリ性改善剤を除く成分からなる洗剤組成物と、スベリ性改善剤とを別々に添加して洗濯液を調製する場合は、溶解時の継粉発生抑制のため、洗濯用スベリ性改善剤としてはメタリン酸カリウムと他の基剤との混合物を用いることが好ましい。
【００４４】
また、可溶化剤は、洗濯用スベリ性改善剤中及び／又は洗剤組成物中に含有されていれば良く、必ずしも洗剤組成物中に含有されている必要はない。
かかる洗剤組成物の例としては、例えば特許庁公報10(1998)-25(7159) 周知慣用技術集（衣料用粉末洗剤）に記載の組成及び製造方法にて得られる洗剤組成物等が挙げられる。
【００４５】
７．手洗い洗濯方法
本発明の手洗い洗濯方法は、メタリン酸カリウム水中濃度３０ｍｇ／Ｌ以上、浴比２以上の条件下で、手洗いで洗濯を行う方法であり、例えば、メタリン酸カリウムを洗剤成分の一部としてあるいは洗剤成分と別に洗濯液に添加して手洗いで洗濯を行う方法等が挙げられる。
具体的な態様としては、前記スベリ性改善剤又を洗剤成分の一部としてあるいは洗剤成分と別に洗濯液に添加して手洗いで洗濯を行う方法が挙げられる。
【００４６】
本発明においては、前記のように、メタリン酸カリウムの水中濃度と浴比とを特定の範囲に調整することで、洗濯液がローション状の粘稠溶液となり、被洗浄物間のスベリ性が向上した実感が得られ、また、浴比の上昇に伴い、メタリン酸カリウムの溶解性、被洗浄物表面への吸着が促進され、被洗浄物間のスベリ性が向上した実感が得られるという利点がある。
【００４７】
メタリン酸カリウムの水中濃度としては、スベリ性向上の観点から、１５ｍｇ／Ｌ以上が好ましく、３０ｍｇ／Ｌ以上がより好ましく、６０ｍｇ／L 以上が特に好ましい。また、洗濯後の被洗浄物取り扱い性の観点から、３０００ｍｇ／Ｌ以下が好ましく、１５００ｍｇ／Ｌ以下がより好ましく、１０００ｍｇ／L 以下が特に好ましい。また、浴比の低下、洗濯水硬度の増加、洗剤組成物中の非イオン界面活性剤の量及び全界面活性剤成分に対する比率の上昇に応じて、メタリン酸カリウム水中濃度を増加させることが好ましい。
【００４８】
また、浴比（水と衣類の重量の比率) は、溶解性、被洗浄物間への吸着の観点から、２以上が好ましく、３以上がより好ましく、４以上が更に好ましく、５以上が特に好ましい。また、洗濯のし易さの観点から２０以下が好ましく、１５以下がより好ましい。
【００４９】
以下に、本発明における物性値の測定法を記載する。
【００５０】
〔金属イオン捕捉能の測定〕
金属イオン捕捉能は、金属イオン封鎖剤がイオン交換体の場合とポリマーやキレート剤の場合に対応して、それぞれ以下のような方法で測定する。
＜イオン交換体の場合＞
イオン交換体０．１ｇを精秤し、塩化カルシウム水溶液( 濃度はＣａＣＯ3 として５００ｐｐｍ) １００ｍｌ中に加え、２５℃で６０分間攪拌した後、孔サイズ０．２μｍのメンブランフィルター( アドバンテック社、ニトロセルロース製) を用いてろ過を行い、そのろ液１０ｍｌ中に含まれるＣａ量をＥＤＴＡ滴定により測定する。その値よりイオン交換体のカルシウム交換容量( カチオン交換容量) を求める。
＜ポリマーやキレート剤の場合＞
溶液は全て以下の緩衝液を用いて調整する。
緩衝液；０．１Ｍ−ＮＨ4 Ｃｌ−ＮＨ4 ＯＨバッファー（ｐＨ１０．０）
(1) 検量線の作成
標準カルシウムイオン溶液を作成し、図１の如きカルシウムイオン濃度の対数と電位の関係を示す検量線を作成する。
(2) カルシウムイオンの捕捉能の測定
１００ｍＬメスフラスコに約０．１ｇのサンプルを秤量し、上記の緩衝液で１００ｍＬにする。これに、２００００ｐｐｍ（ＣａＣＯ3 換算）に相当するＣａＣｌ2 水溶液（ｐＨ１０．０）をビュレットから滴下する( ブランクも測定する) 
。
滴下はＣａＣｌ2 水溶液を０．１〜０．２ｍｌずつ加えて行い、その時の電位を読み取り、図１の検量線よりカルシウムイオン濃度を求める。
図２中のサンプルの滴下量Ａにおけるカルシウムイオン濃度がサンプルのカルシウムイオン捕捉能となる。
【００５１】
＜メタリン酸カリウム分子量の測定方法＞
メタリン酸カリウムの分子量とは重量平均分子量のことを指し、ゲルパーミェーションクロマトグラフィーを用いて以下の条件で測定し、ポリエチレングリコールの較正曲線を用いて換算する。
カラム；東ソー（株）社製  ＧＭＰＷＸＬ＋ＧＭＰＷＸＬ
移動相；０．０２Ｍリン酸緩衝液／アセトニトリル＝９０／１０（重量比）
温度；40℃
流速；１ｍＬ／ｍｉｎ
サンプル濃度、量；０．１重量％（可溶化剤トリポリリン酸ナトリウム０．６％）、１００μｌ
検出器；示差屈折率検出器（ＲＩＤ）
【００５２】
本発明においては、次に示す手洗い洗濯評価方法に準じた洗濯条件で手洗い洗濯を行うことにより特に好ましいスベリ性改善効果を評価することができる。
また、メタリン酸カリウム配合による洗濯液の粘度上昇がヌル付き性発現要因となり、その結果、スベリ性が改善されているため、洗濯液の粘度測定により、手洗い洗濯性を定量評価することができる。
【００５３】
＜手洗い洗濯評価方法＞
◎手洗い洗濯条件
本発明における手洗い洗濯の評価方法を以下に説明する。２５℃に調整した８９．３ｍｇＣａＣＯ3 ／リットルに相当する２リットルの硬水（Ｃａ／Ｍｇモル比７／３) を直径３０ｃｍ、深さ１３ｃｍ、容量８．２Ｌのポリプロピレン製洗面器（ＹＡＺＡＫＩ製) の中に満たし、１５ｇとなるように秤量した洗剤組成物を水中に投入した後、水が洗面器より飛散しない程度に手によって攪拌し続ける。攪拌開始から３０秒後に綿１００％のＴシャツ（グンゼ製白、Ｌサイズ) を洗面器の中の洗浄水にＴシャツ全体が十分に濡れるように浸した後、Ｔシャツの後背部よりＴシャツの胸部を両手で握り、Ｔシャツの胸部どうしを擦り合わせる。このとき擦り合わせる部分は洗浄水から出した状態で行う。３回から５回擦り合わせる毎に一旦洗浄水に擦り合わせる部分を浸す。擦り合わせるときの擦り易さをスベリ性として判定し、１〜５ランクとする。上記の調整水のみでこの評価を行った場合、Ｔシャツのしわがスベリ性を阻害し、また擦り合わせる部分に泡が無いため非常に擦りにくく、スベリ性が悪い。このときをスベリ性：１とする。各ランクの状態を下記に示す。
ランク１：スベリ性が非常に低く、きしみ感があり、手洗い洗濯が非常にしにくい。
ランク２：スベリ性が低く、きしみ感があり、手洗い洗濯がしにくい。
ランク３：スベリ性が中程度できしみ感がなく手洗い洗濯できる。
ランク４：スベリ性が高く、きしみ感がなく、手洗い洗濯がしやすい。
ランク５：スベリ性が非常に高く、きしみ感がなく、手洗い洗濯が非常にし易い。
なお、上記試験において、６人のパネラー評価結果の平均値を求めランクとした。
【００５４】
以上のような構成を有する本発明の洗濯方法を用いることにより、手洗い洗濯時において被洗浄物どうしを擦り合わせるときのスベリ性を改善することができ、加えて、軽い力で洗濯できることや洗濯物を擦る速度（時間当たりの擦り回数) が増加するなどのことで手洗いにおける感触を高め、更にハンドケアをもなしうるという効果が発現される。また、本発明の洗濯方法を用いることにより、手洗い洗濯は勿論、洗濯機洗濯においても、攪拌などの機械力によって生じる型くずれなどの原因となる繊維の傷みに対して、繊維間のスベリ性を高めることで布傷みを回避することができるという、所謂衣類ケア効果も発現され得る。
【実施例】
【００５５】
以下、実施例により本発明を具体的に説明するが、これらの実施例に限定されるものではない。なお、表１には各実施例で得られた洗剤組成物の組成を示す。
【００５６】
また、本実施例において衣類ケア効果は、以下の方法を用いて評価した。
＜布帛ケア( ＭＡ試験布) ＞
（１）前処理布の調整
全自動洗濯機（東芝、AW-D802VP ）を準備し、洗濯水量を45L に設定し、これに木綿Ｔシャツ合計１０枚（約２．２ｋｇ）を入れた。更にコンパクト型粉末洗剤（アタック、花王（株））を標準使用量に従い投入し、洗濯８分、脱水３分、ため濯ぎ２回、脱水３分行ない、乾燥機で乾燥させた。この洗濯サイクルを５回繰り返し、前処理布とした。
【００５７】
（２）布帛ケア試験（ＭＡ試験布）
上記前処理布のＴシャツの内、５枚の胸の部分にＴｅｓｔｆａｂｒｉｃｓ，Ｉｎｃ．社製のＭＡ（Ｍａｃｈｉｎｅ  Ａｃｔｉｏｎ）試験布をミシンで縫いつけた。なお、該ＭＡ試験布については、Ｆｒａｎｔｓ  Ｓｚａｒａｓ；“Ｔｈｅ  ｍｅｃｈａｎｉｃａｌ  ａｃｔｉｏｎ  ｉｎ  ｗａｓｈｉｎｇ  ｍａｃｈｉｎｅｓ．ＭＡ−ｔｅｓｔ  ｐｉｅｃｅｓ  ｉｎｓｔｒｕｃｔｉｏｎ  ａｎｄ  ａｐｐｌｉｃａｔｉｏｎ．”（１９８２）に記載のものを用いた。
【００５８】
全自動洗濯機（東芝、AW-D802VP ）を準備し、洗濯水量を45L に設定し、上記ＭＡ試験布を縫い付けたＴシャツを含む木綿Ｔシャツを計１０枚（約２．２ｋｇ）を入れた。洗濯機に洗浄剤組成物６０g を投入し、洗濯8 分、脱水3 分、ため濯ぎ2 回、脱水6 分の洗濯工程を行ない、乾燥せずにT シャツからＭＡ試験布を取り外し、ほつれた糸の本数を測定した。
【００５９】
（３）布帛ケア評価判定基準
判定は５枚のＭＡ試験布のほつれた糸の平均値を求めた。
【００６０】
（比較例１) 
水３７０ｋｇ、５０重量％のドデシルベンゼンスルホン酸ナトリウム水溶液２００ｋｇ、４０重量％の２号シリケート水溶液５０ｋｇ、炭酸ナトリウム１００ｋｇ、硫酸ナトリウム１４７．５ｋｇ、ポリエチレングリコール５ｋｇ、ＣＢＳ型蛍光染料２．５ｋｇ、ゼオライト１２５ｋｇを混合して均質なスラリーを調製した後、スラリーを噴霧乾燥し、洗剤組成物を得た。また、得られた洗剤組成物のスベリ性を表２に示す。スベリ性ランク：２の洗剤組成物であった。５枚のＭＡ試験布のほつれた糸の平均値は６０本／枚であった。
【００６１】
(比較例２) 
特許第３１２３７５７号に記載の実施例３に従って、水４６５ｋｇ、５０重量％のドデシルベンゼンスルホン酸ナトリウム水溶液４８ｋｇ、４０重量％のポリアクリル酸ナトリウム水溶液１３５ｋｇ、炭酸ナトリウム１２０ｋｇ、硫酸ナトリウム６０ｋｇ、亜硫酸ナトリウム９ｋｇ、ＣＢＳ型蛍光染料３ｋｇ、ゼオライト３００ｋｇを混合し均質なスラリーを得た。このスラリーを噴霧乾燥し、ベース顆粒を得た。
このベース顆粒１００重量部と、非イオン性界面活性剤１５重量部と陰イオン性界面活性剤１５重量部とポリエチレングリコール１重量部からなる混合液とをを攪拌混合し、洗剤組成物を得た。得られた洗剤組成物のスベリ性を表２に示す。スベリ性ランク：１の洗剤組成物であった。５枚のＭＡ試験布のほつれた糸の平均値は６０本／枚であった。
【００６２】
（実施例１）
比較例１で得られた洗剤組成物４．０ｋｇをコンクリートミキサー（光洋機械産業（株）製、容量４０L ）に投入し、続いてメタリン酸カリウム（和光純薬工業株式会社製、型番： 169-07045）を０．０４ｋｇ添加し、傾斜角３０°、回転数２０r/m で３分間混合して、洗濯用スベリ性改善剤含有洗剤組成物を得た。得られた洗濯用スベリ性改善剤含有洗剤組成物のスベリ性を表２に示す。スベリ性ランク：３で乾燥後の皮膚感触が非常に良好である洗濯用スベリ性改善剤含有の洗剤組成物であった。
【００６３】
（実施例２）
比較例１で得られた洗剤組成物４．０ｋｇをコンクリートミキサー（光洋機械産業（株）製、容量４０L ）に投入し、続いてメタリン酸カリウム（和光純薬工業株式会社製、型番： 169-07045）を０．４ｋｇ添加し、傾斜角３０°、回転数２０r/m で３分間混合して、洗濯用スベリ性改善剤含有洗剤組成物を得た。得られた洗濯用スベリ性改善剤含有洗剤組成物のスベリ性を表２に示す。これを溶解させた洗濯水は粘稠溶液となり、スベリ性ランク：５で乾燥後の皮膚感触が非常に良好である洗濯用スベリ性改善剤含有の洗剤組成物であった。
【００６４】
（実施例３）
水３７７．５ｋｇ、５０重量％のドデシルベンゼンスルホン酸ナトリウム水溶液１４０ｋｇ、４０重量％の２号シリケート水溶液５０ｋｇ、炭酸ナトリウム１００ｋｇ、硫酸ナトリウム１５７．５ｋｇ、ポリエチレングリコール５ｋｇ、ＣＢＳ染料２．５ｋｇ、ゼオライト１２５ｋｇ、４０重量％のポリアクリル酸ナトリウム水溶液３７．５ｋｇ、カルボキシルメチルセルロース５ｋｇを混合して均質なスラリーを調製した後、スラリーを噴霧乾燥し、得られた洗剤組成物４．０ｋｇをコンクリートミキサー（光洋機械産業（株）製、容量４０L ）に投入し、続いてメタリン酸カリウム（和光純薬工業株式会社製、型番： 169-07045）を０．４０ｋｇ、セルラーゼ１２ｇ、プロテアーゼ１２ｇを添加し、傾斜角３０°、回転数２０r/m で３分間混合しながら香料１２ｇを賦香し、洗濯用スベリ性改善剤含有洗剤組成物を得た。得られた洗濯用スベリ性改善剤含有洗剤組成物のスベリ性を表２に示す。これを溶解させた洗濯水は粘稠溶液となり、スベリ性ランク：５で乾燥後の皮膚感触が非常に良好である洗濯用スベリ性改善剤含有の洗剤組成物であった。
【００６５】
（実施例４）
水３４７．５ｋｇ、５０重量％のドデシルベンゼンスルホン酸ナトリウム水溶液２００ｋｇ、４０重量％の２号シリケート水溶液５０ｋｇ、炭酸ナトリウム１００ｋｇ、硫酸ナトリウム１３２．５ｋｇ、ポリエチレングリコール５ｋｇ、ＣＢＳ染料２．５ｋｇ、ゼオライト１２５ｋｇ、４０重量％のアクリル酸−マレイン酸共重合体水溶液３７．５ｋｇを混合して均質なスラリーを調製した後、スラリーを噴霧乾燥し、得られた洗剤組成物４．０ｋｇをコンクリートミキサー（光洋機械産業（株）製、容量４０L ）に投入し、続いてメタリン酸カリウム（和光純薬工業株式会社製、型番： 169-07045）を０．２８ｋｇ添加し、傾斜角３０°、回転数２０r/m で３分間混合して、洗濯用スベリ性改善剤含有洗剤組成物を得た。得られた洗濯用スベリ性改善剤含有洗剤組成物のスベリ性を表２に示す。これを溶解させた洗濯水は粘稠溶液となり、スベリ性ランク：５で乾燥後の皮膚感触が非常に良好である洗濯用スベリ性改善剤含有の洗剤組成物であった。
【００６６】
（実施例５）
水３２２．５ｋｇ、５０重量％のドデシルベンゼンスルホン酸ナトリウム水溶液２５０ｋｇ、４０重量％の２号シリケート水溶液５０ｋｇ、炭酸ナトリウム１００ｋｇ、硫酸ナトリウム１０２．５ｋｇ、ポリエチレングリコール５ｋｇ、ＣＢＳ染料２．５ｋｇ、ゼオライト１２５ｋｇ、４０重量％のアクリル酸−マレイン酸共重合体水溶液３７．５ｋｇ、カルボキシルメチルセルロース５ｋｇを混合して均質なスラリーを調製した後、スラリーを噴霧乾燥し、得られた洗剤組成物４．０ｋｇをコンクリートミキサー（光洋機械産業（株）製、容量４０L ）に投入し、続いてメタリン酸カリウム（和光純薬工業株式会社製、型番： 169-07045）を０．２８ｋｇ、セルラーゼ１２ｇ、プロテアーゼ１２ｇを添加し、傾斜角３０°、回転数２０r/m で３分間混合しながら香料１２ｇを賦香し、洗濯用スベリ性改善剤含有洗剤組成物を得た。得られた洗濯用スベリ性改善剤含有洗剤組成物のスベリ性を表２に示す。これを溶解させた洗濯水は粘稠溶液となり、スベリ性ランク：５で乾燥後の皮膚感触が非常に良好である洗濯用スベリ性改善剤含有の洗剤組成物であった。
【００６７】
（実施例６）
水３７０ｋｇ、５０重量％のドデシルベンゼンスルホン酸ナトリウム水溶液２００ｋｇ、４０重量％の２号シリケート水溶液５０ｋｇ、炭酸ナトリウム１００ｋｇ、硫酸ナトリウム１３０ｋｇ、ポリエチレングリコール５ｋｇ、ＣＢＳ染料２．５ｋｇ、ゼオライト１２５ｋｇ、エチレンジアミン四酢酸１７．５ｋｇを混合して均質なスラリーを調製した後、スラリーを噴霧乾燥し、得られた洗剤組成物４．０ｋｇをコンクリートミキサー（光洋機械産業（株）製、容量４０L ）に投入し、続いてメタリン酸カリウム（和光純薬工業株式会社製、型番： 169-07045）を０．２８ｋｇ添加し、傾斜角３０°、回転数２０r/m で３分間混合して、洗濯用スベリ性改善剤含有洗剤組成物を得た。得られた洗濯用スベリ性改善剤含有洗剤組成物のスベリ性を表２に示す。これを溶解させた洗濯水は粘稠溶液となり、スベリ性ランク：５で乾燥後の皮膚感触が非常に良好である洗濯用スベリ性改善剤含有の洗剤組成物であった。
【００６８】
（実施例７）
水３７０ｋｇ、５０重量％のドデシルベンゼンスルホン酸ナトリウム水溶液２００ｋｇ、４０重量％の２号シリケート水溶液５０ｋｇ、炭酸ナトリウム１００ｋｇ、硫酸ナトリウム１３５ｋｇ、ポリエチレングリコール５ｋｇ、ＣＢＳ染料２．５ｋｇ、ゼオライト１２５ｋｇ、メチルグリシニン二酢酸１２．５ｋｇを混合して均質なスラリーを調製した後、スラリーを噴霧乾燥し、得られた洗剤組成物４．０ｋｇをコンクリートミキサー（光洋機械産業（株）製、容量４０L ）に投入し、続いてメタリン酸カリウム（和光純薬工業株式会社製、型番： 169-07045）を０．２８ｋｇ添加し、傾斜角３０°、回転数２０r/m で３分間混合して、洗濯用スベリ性改善剤含有洗剤組成物を得た。得られた洗濯用スベリ性改善剤含有洗剤組成物のスベリ性を表２に示す。これを溶解させた洗濯水は粘稠溶液となり、スベリ性ランク：５で乾燥後の皮膚感触が非常に良好である洗濯用スベリ性改善剤含有の洗剤組成物であった。
【００６９】
（実施例８）
水３２５ｋｇ、５０重量％のドデシルベンゼンスルホン酸ナトリウム水溶液２００ｋｇ、４０重量％の２号シリケート水溶液１２５ｋｇ、炭酸ナトリウム７０ｋｇ、硫酸ナトリウム１４７．５ｋｇ、ポリエチレングリコール５ｋｇ、ＣＢＳ染料２．５ｋｇ、ゼオライト１２５ｋｇを混合して均質なスラリーを調製した後、スラリーを噴霧乾燥し、得られた洗剤組成物４．０ｋｇをコンクリートミキサー（光洋機械産業（株）製、容量４０L ）に投入し、続いてメタリン酸カリウム（和光純薬工業株式会社製、型番： 169-07045）を０．２８ｋｇ添加し、傾斜角３０°、回転数２０r/m で３分間混合して、洗濯用スベリ性改善剤含有洗剤組成物を得た。得られた洗濯用スベリ性改善剤含有洗剤組成物のスベリ性を表２に示す。これを溶解させた洗濯水は粘稠溶液となり、スベリ性ランク：５で乾燥後の皮膚感触が非常に良好である洗濯用スベリ性改善剤含有の洗剤組成物であった。
【００７０】
（実施例９）
水３７０ｋｇ、５０重量％のドデシルベンゼンスルホン酸ナトリウム水溶液２００ｋｇ、４０重量％の２号シリケート水溶液５０ｋｇ、炭酸ナトリウム１００ｋｇ、硫酸ナトリウム１４７．５ｋｇ、ポリエチレングリコール５ｋｇ、ＣＢＳ染料２．５ｋｇ、ゼオライト２５ｋｇ、トリポリリン酸ナトリウム１００ｋｇを混合して均質なスラリーを調製した後、スラリーを噴霧乾燥し、得られた洗剤組成物４．０ｋｇをコンクリートミキサー（光洋機械産業（株）製、容量４０L ）に投入し、続いてメタリン酸カリウム（和光純薬工業株式会社製、型番： 169-07045）を０．２８ｋｇ添加し、傾斜角３０°、回転数２０r/m で３分間混合して、洗濯用スベリ性改善剤含有洗剤組成物を得た。得られた洗濯用スベリ性改善剤含有洗剤組成物のスベリ性を表２に示す。これを溶解させた洗濯水は粘稠溶液となり、スベリ性ランク：５で乾燥後の皮膚感触が非常に良好である洗濯用スベリ性改善剤含有の洗剤組成物であった。５枚のＭＡ試験布のほつれた糸の平均値は５０本／枚であった。
【００７１】
（実施例１０）
ハイスピードミキサー（三井三池（株）製、容量２L 、ジャケット付) にメタリン酸カリウム（和光純薬工業株式会社製、型番：169-07045 ）を０．３ｋｇと硫酸ナトリウムを０．３ｋｇ投入し、主軸を３６００r/m で３分間攪拌した後、混合物を抜き出し、洗濯用スベリ性改善剤混合物（メタリン酸カリウム５０重量％、硫酸ナトリウム５０重量％）を得た。
【００７２】
比較例１及び２で得られた洗剤組成物と上記の洗濯用スベリ性改善剤混合物を手洗い洗濯時に表１の比率で添加した場合のスベリ性を表２に示す。洗剤組成物と洗濯用スベリ性改善剤造粒物を溶解させた洗濯液は粘稠溶液となり、スベリ性ランク：５で乾燥後の皮膚感触が非常に良好であるスベリ性改善剤造粒物であった。
【００７３】
【表１】
2005248140.tif 000002
【００７４】
表中、ポリエチレングリコールの分子量は１．３万であり、ポリアクリル酸ナトリウムの分子量は１万であり、アクリル酸−マレイン酸共重合体（Ｎａ塩）の分子量は７万である。
【００７５】
【表２】
2005248140.tif 000003
【００７６】
なお、実施例において洗濯液感触は、洗濯液を手のひらで洗面器から高さ３０ｃｍ程度まですくい上げた後、洗面器へ洗濯液を落とすときの洗濯液の流れ具合で、粘稠の有無を判断した。
【００７７】
また、乾燥後皮膚感触は、約５分間の手洗い洗濯後、水道水にて手に付着している洗濯液を１５秒間洗い流し、タオル（木綿１００％）の上の手の表裏をそれぞれ１０秒静置させて、手の表裏の水分をタオルに吸収させた後の手の感触を以下の評価基準に基づいて評価した。
〔評価基準〕
◎：乾燥後の手の皮膚が柔らかく滑らかに感じられる。
○：乾燥後に、目立った感触なし（メタリン酸カリウムを配合していない洗剤を用いた場合と同様）。
【００７８】
また、実施例１〜１０で得られた洗濯物であるＴシャツには、繊維の傷みがみられなかった。
【００７９】
実施例１１〜２１
以下の方法でメタリン酸カリウムを合成し、手洗い洗濯評価を行った。
ＫＨ2 ＰＯ4 （シグマアルドリッチジャパン株式会社製、試薬特級、Ｌｏｔ．Ａ８３４７、Ｋ／Ｐモル比＝１．００）に、焼成後のメタリン酸カリウムのＫ／Ｐモル比が表３に示す値になるように、Ｈ3 ＰＯ4 （和光純薬工業株式会社製、試薬特級、純度８５％、Ｌｏｔ．ＣＫＬ２２１８、Ｋ／Ｐモル比＝０．９４）を添加し、表３に示す温度で３時間焼成した。得られた焼成物を乳鉢で粉砕し、メタリン酸カリウムを得た。
【００８０】
比較例１で得られた洗剤組成物４．０ｋｇをコンクリートミキサー（光洋機械産業（株）製、容量４０Ｌ）に投入し、続いて表３に示す条件で合成した各メタリン酸カリウムを表３に示す割合( 対洗剤組成物外比) で添加し、傾斜角３０°、回転数２０r/m で３分間混合して、洗濯用スベリ性改善剤含有洗剤組成物を得た。得られた洗濯用スベリ性改善剤含有洗剤組成物のスベリ性を表３に示す。
【００８１】
【表３】
2005248140.tif 000004
【００８２】
表３の結果より、手洗い洗濯評価ですべり性評価を行ったところ、Ｋ／Ｐモル比は１未満で、より良好なスベリ性ランクを示した。また、焼成温度によってもスベリ性ランクは変化し、４００℃以上で良好なスベリ性を示した。
【００８３】
なお、Ｋ／Ｐモル比は、以下の測定方法に従って求めた。
＜Ｋ／Ｐモル比の測定方法＞
白金ルツボに試料０．１ｇを採取し、更にＬｉ2 Ｂ4 Ｏ7 を５ｇ及び、剥離剤（重量比でＬｉ2 ＣＯ3 ：ＬｉＢｒ：ＬｉＮＯ3 ＝５：１：１）を０．５ｇ加え、ビードサンプラ（東京科学（株）製、ＮＴ−２１００）により、１２３０℃で溶融し、ガラスビードを作成した。
【００８４】
蛍光Ｘ線装置（（株）リガク製、ＺＳＸ１００ｅ）によりガラスビード中のＫ及びＰを以下の条件で測定した（ＸＲＦ強度）。
Ｘ線源  ：Ｒｈ管球
電圧電流：５０ＫＶ５０ｍＡ
分光結晶            検出器                        角度
・Ｋ：ＬｉＦ    ＳＣ（シンチレーションカウンタ）  １３６．６８ｄｅｇ
・Ｐ：Ｇｅ      ＰＣ（プロポーショナルカウンタ）  １４１．１９ｄｅｇ
【００８５】
Ｋ／Ｐモル比の計算は、ＫＨ2 ＰＯ4 （シグマアルドリッチジャパン株式会社製、試薬特級）をサンプルと同様に測定し、Ｋ／Ｐモル比１．００の基準として、サンプルのＫ／Ｐモル比を以下の計算により算出した。
【００８６】
【数１】
2005248140.tif 000005
【産業上の利用可能性】
【００８７】
本発明のスベリ性改善剤は、洗濯、中でも、手洗い洗濯時に好適に使用することができる。
【図面の簡単な説明】
【００８８】
【図１】図１は、カルシウムイオン電極によるＣａイオン捕捉能測定法において作成される検量線を示す概略図であり、カルシウムイオン濃度の対数と電位の関係を示す。
【図２】図２は、カルシウムイオン電極によるＣａイオン捕捉能測定法において作成されるカルシウムイオン濃度と、サンプルの滴下量との関係を示す概略図である。図２中のサンプルの滴下量Ａにおけるカルシウムイオン濃度がサンプルのカルシウムイオン捕捉能となる。
【図１】
2005248140.tif 000006
【図２】
2005248140.tif 000007